(57)【要約】【課題】測定された誤り率（ＢＥＲ）が有効か無効かを簡単に識別可能とする。【解決手段】  地上デジタル放送信号を復調部７でデータ信号に復調し復調された各データ信号の誤り率を測定する地上デジタル放送用フィールド測定装置において、復調部の復調動作に必要な４つの復調状況を検出する復調状況検出手段２４と、測定される誤り率の誤り率特性４９ａ、４９ｂとして表示器に表示する誤り率特性表示手段４２と、検出された４つ復調状況のうち１つでも復調状況が異常の場合に、測定された誤り率は無効と判定する測定データ有効無効判定手段４５と、判定された有効又は無効の経時変化を有効範囲又は無効範囲４０として表示器にグラフィック表示する有効無効範囲表示制御手段とを備えている。【選択図】      図１
2006165671.tif 000002
【特許請求の範囲】
【請求項１】
入力された、各チャネルの周波数帯域に各データ信号を変調した複数のサブキャリアからなる階層を複数個配置しこれらの階層をＯＦＤＭ変調した地上デジタル放送信号（ａ）を、復調部（７）でサブキャリア毎のデータ信号に復調し、誤り率測定部（３１）でこの復調された各データ信号の誤り率を測定する地上デジタル放送用フィールド測定装置において、
前記復調部の復調動作に必要な周波数同期、シンボル同期、フレーム同期、及びＴＭＣＣ情報の４つの復調状況を検出する復調状況検出手段（２４）と、
前記誤り率測定部で測定される誤り率の経時変化を誤り率特性として表示器（３８）にグラフィック表示する誤り率特性表示手段（４２）と、
前記復調状況検出手段で検出された４つ全部の復調状況が正常の場合に、前記誤り率測定部で測定された誤り率は有効と判定し、前記復調状況検出手段で検出された４つの復調状況のうち１つ以上の復調状況が異常の場合に、前記誤り率測定部で測定された誤り率は無効と判定する測定データ有効無効判定手段（４５）と、
この測定データ有効無効判定手段で判定された有効又は無効の経時変化を有効範囲又は無効範囲として前記表示器にグラフィック表示する有効無効範囲表示制御手段（４５）と
を備えたことを特徴とする地上デジタル放送用フィールド測定装置。
【請求項２】
前記復調部で復調された各データ信号を誤り訂正する誤り訂正部（２６）を備え、
前記誤り率測定部は、前記誤り訂正部で誤り訂正される前の各データ信号の誤り率を復調誤り率として測定すると共に、前記誤り訂正部で誤り訂正された後の各データ信号の誤り率を誤り訂正後誤り率として測定し
前記誤り率特性表示手段は、前記誤り率測定部で測定される復調誤り率及び誤り訂正後誤り率の各経時変化を復調誤り率特性（４９ａ）及び誤り訂正後誤り率特性（４９ｂ）として前記表示器にグラフィック表示し、
前記誤り率特性表示手段で前記表示器に表示する復調誤り率特性及び誤り訂正後誤り率特性を選択する表示特性選択手段を備えた
ことを特徴とする請求項１記載の地上デジタル放送用フィールド測定装置。
【請求項３】
前記表示器にグラフィック表示された誤り率特性における時間位置を表示画面上で指定する時間位置指定手段（５９）と、
この時間位置指定手段にて指定された時間位置における前記４つの復調状況における各復調状況の正常異常を前記表示器に表示する復調状況表示手段と、
前記表示器にグラフィック表示された誤り率特性における前記時間位置指定手段にて指定された時間位置の誤り率の値を前記表示器に表示する誤り率値表示手段と
を備えたことを特徴とする請求項１又は２記載の地上デジタル放送用フィールド測定装置。
【請求項４】
前記入力された地上デジタル放送信号の電界強度を測定する電界強度測定部（８）と、
この電界強度測定部で測定された電界強度の経時変化を電界強度特性（５０）として前記表示器に、前記誤り率特性と共に、グラフィック表示する電界強度特性表示手段（４２）と
を備えたことを特徴とする請求項１から３のいずれか１項記載の地上デジタル放送用フィールド測定装置。
【発明の詳細な説明】
【技術分野】
【０００１】
本発明は、地上デジタル放送信号の各種の特性を測定する地上デジタル放送用フィールド測定装置に係わり、特に地上デジタル放送信号の誤り率を測定する地上デジタル放送用フィールド測定装置に関する。
【背景技術】
【０００２】
現在、実用化されているＩＳＤＢ―Ｔ（Integrated Services Digital Broadcasting-Terrestrial）方式の地上デジタル放送システムにおける各放送局の共同のアンテナから出力される地上デジタル放送信号は、ＢＳＴ−ＯＦＤＭ（Band Segmented Transmission −Orthogonal Frequency Division Multiplexing）の伝送方式が採用されている。
【０００３】
図３は、このＢＳＴ−ＯＦＤＭ（直交周波数分割多重）伝送方式が採用された地上デジタル放送信号ａにおける各放送局に割当てられた１チャネル分の信号の周波数分布図である。５．７ＭHzの周波数帯域幅を有する１チャネルは１３個のセグメント１で構成されている。そして、１個又は複数のセグメント１で階層２が形成されている。具体的には、１３個のセグメント１でＡ階層、Ｂ階層、Ｃ階層の３個の階層２が形成されている。さらに、各セグメント１は複数のサブキャリア３で構成されている。この複数のサブキャリア３のうちの、モード毎に指定された特定位置のサブキャリアには、ＴＭＣＣ（Transmission and Multiplexing Configuration Control  制御情報）４が組込まれている。
【０００４】
同一階層２に所属する各サブキャリア３は局が指定した同一の変調方式（ＱＰＳＫ、１６ＱＡＭ、６４ＱＡＭのなかの１つ）で変調されているが、ＴＭＣＣ（制御情報）４だけは固定のＢＰＳＫの変調方式で変調されている。ＴＭＣＣ（制御情報）４は、該当チャネルの地上デジタル放送信号ａにおけるＡ階層、Ｂ階層、Ｃ階層の３個の階層２の各位置、各階層２のセグメント１数、各セグメント１に含まれる各サブキャリア３の変調方式を含む。
【０００５】
このようなフレーム構成を有する地上デジタル放送信号ａが上述した規格を満たす信号品質を有するか否かを測定する必要がある。この信号品質の１つとして、地上デジタル放送信号ａに含まれるビットデータの誤り率（ＢＥＲ  Bit Error Rate）がある。
【０００６】
特に、電波に対する影響が大きい野外で地上デジタル放送信号ａの誤り率（ＢＥＲ）を電界強度と共に測定することは非常に重要なことである。
【０００７】
次に、地上デジタル放送信号ａの誤り率（ＢＥＲ）を測定する手順を説明する。最初に、周波数変換部で、地上デジタル放送信号ａの周波数を中間周波数に変換して、中間周波数に変換された１チャネル分の地上デジタル放送信号ａを直交復調部でＩ、Ｑ信号からなる地上デジタル放送信号ａに直交復調する。さらに、直交復調されたＩ、Ｑ信号からなる１チャネル分の地上デジタル放送信号ａをＯＦＤＭ復調部で、それぞれ周波数が異なる複数のサブキャリア３に復調する。この各サブキャリア３をサブキャリア復調部でサブキャリア３の変調方式に対応した復調方式で復調して、各サブキャリア３毎のＴＳ（Transport Stream）としてのデータ信号を得る。そして、このデータ信号のビットデータの誤り率（ＢＥＲ）を誤り率測定部で測定する。
【０００８】
なお、特許文献１に移動体通信システムにおける基地局と移動局との間で送受信されるＣＤＭＡ方式の変調信号の誤り率（ＢＥＲ）を測定する技術が開示されている。
【特許文献１】特開２００４―０９６２６３号公報
【発明の開示】
【発明が解決しようとする課題】
【０００９】
しかしながら上述した手順で、地上デジタル放送信号の誤り率（ＢＥＲ）を測定する手法においてもまだ改良すべき次のような課題があった。
【００１０】
すなわち、誤り率測定部で測定された誤り率（ＢＥＲ）は、当然、誤り率測定部に入力される復調済みのデータ信号の誤り率（ＢＥＲ）である。このデータ信号は、入力された地上デジタル放送信号を、直交復調部、ＯＦＤＭ復調部、サブキャリア復調部で順次復調して得られたデータ信号である。このことは、地上デジタル放送信号が、直交復調部、ＯＦＤＭ復調部、サブキャリア復調部で正常に復調されていることが前提条件である。
【００１１】
しかし、ＯＦＤＭ復調部は、
（ａ）直交復調されたＩ、Ｑ信号の周波数が復調に使用する周波数に同期が取れていること、
（ｂ）入力されるＩ、Ｑ信号がシンボル単位で同期が取れていること、
（ｃ）入力されるＩ、Ｑ信号がフレーム単位で同期が取れていること
等の条件が常時満たされているとは限らない。
【００１２】
また、サブキャリア復調部においても、ＴＭＣＣ（制御情報）にて常時正しい変調方式（復調方式）が提供されるとは限らない。
【００１３】
このように、復調部が正常に動作しない場合は、誤り率測定部に入力される復調済みのデータ信号に復調異常に起因する異常値が大量に含まれるので、誤り率測定部で測定された誤り率（ＢＥＲ）が大きく変化する。この誤り率（ＢＥＲ）の変化が、地上デジタル放送信号が有する本来の誤り率（ＢＥＲ）の変化か、復調部の復調異常に起因する誤り率（ＢＥＲ）の変化であるのか、測定者にとっては判断できない。
【００１４】
特に、野外における地上デジタル放送信号の信号レベル（電界強度）が低い条件下においては、復調部の同期が取りにくく、復調異常になる確率が高い。
【００１５】
本発明はこのような事情に鑑みてなされたものであり、誤り率測定部で測定された地上デジタル放送信号の誤り率の経時変化を表示画面上で誤り率特性とし確認できるとともに、この表示された誤り率特性における誤り率の時間的な有効範囲又は無効範囲を一瞥して把握でき、より正確に地上デジタル放送信号の誤り率（ＢＥＲ）を測定できる地上デジタル放送用フィールド測定装置を提供することを目的とする。
【課題を解決するための手段】
【００１６】
本発明は、入力された、各チャネルの周波数帯域に各データ信号を変調した複数のサブキャリアからなる階層を複数個配置しこれらの階層をＯＦＤＭ変調した地上デジタル放送信号を、復調部でサブキャリア毎のデータ信号に復調し、誤り率測定部でこの復調された各データ信号の誤り率を測定する地上デジタル放送用フィールド測定装置において、
復調部の復調動作に必要な周波数同期、シンボル同期、フレーム同期、及びＴＭＣＣ情報の４つの復調状況を検出する復調状況検出手段と、誤り率測定部で測定される誤り率の経時変化を誤り率特性として表示器にグラフィック表示する誤り率特性表示手段と、復調状況検出手段で検出された４つ全部の復調状況が正常の場合に、誤り率測定部で測定された誤り率は有効と判定し、復調状況検出手段で検出された４つの復調状況のうち１つ以上の復調状況が異常の場合に、誤り率測定部で測定された誤り率は無効と判定する測定データ有効無効判定手段と、この測定データ有効無効判定手段で判定された有効又は無効の経時変化を有効範囲又は無効範囲として表示器にグラフィック表示する有効無効範囲表示制御手段とを備えている。
【００１７】
このように構成された地上デジタル放送用フィールド測定装置においては、地上デジタル放送信号をサブキャリア毎のデータ信号に復調する復調部の復調動作に必要な周波数同期、シンボル同期、フレーム同期、及びＴＭＣＣ情報の４つの復調状況が検出され、この４つの復調状況のうち１つの復調状況でも異常の場合に、誤り率測定部で測定された誤り率は無効と判定され、無効範囲が表示器にグラフィック表示される。
【００１８】
したがって、同じ表示器にグラフィック表示された誤り率特性における誤り率の時間的な無効範囲を一瞥して把握できる。
【００１９】
また、別の発明は、上述した発明の地上デジタル放送用フィールド測定装置において、さらに、復調部で復調された各データ信号を誤り訂正する誤り訂正部を備えている。また、誤り率測定部は、誤り訂正部で誤り訂正される前の各データ信号の誤り率を復調誤り率として測定すると共に、誤り訂正部で誤り訂正された後の各データ信号の誤り率を誤り訂正後誤り率として測定する。誤り率特性表示手段は、誤り率測定部で測定される復調誤り率及び誤り訂正後誤り率の各経時変化を復調誤り率特性及び誤り訂正後誤り率特性として前記表示器にグラフィック表示する。そして、誤り率特性表示手段で表示器に表示する復調誤り率特性及び誤り訂正後誤り率特性を選択する表示特性選択手段を備えている。
【００２０】
このように構成された地上デジタル放送用フィールド測定装置においては、復調されたデータ信号のうち誤り訂正部で誤り訂正される前の復調誤り率特性と、復調されたデータ信号のうち誤り訂正部で誤り訂正された後の誤り訂正後誤り率特性との２種類の誤り率特性が得られるので、地上デジタル放送信号の誤り率（ＢＥＲ）をより詳細に検証できる。
【００２１】
また、別の発明は、上述した各発明の地上デジタル放送用フィールド測定装置に対して、表示器にグラフィック表示された誤り率特性における時間位置を表示画面上で指定する時間位置指定手段と、この時間位置指定手段にて指定された時間位置における４つの復調状況における各復調状況の正常異常を表示器に表示する復調状況表示手段と、表示器にグラフィック表示された誤り率特性における時間位置指定手段にて指定された時間位置の誤り率の値を前記表示器に表示する誤り率値表示手段とを付加している。
【００２２】
このように構成された地上デジタル放送用フィールド測定装置においては、表示器にグラフィック表示された誤り率特性における時間位置を表示画面上でマウス又はカーソルで指定すると、指定された時間位置における誤り率の値、及び４つの復調状況における各復調状況の正常異常が表示器上に表示される。
【００２３】
したがって、この地上デジタル放送用フィールド測定装置の測定者にとって、より簡単な操作で、誤り率（ＢＥＲ）に関するより詳細な情報を得ることが可能である。
【００２４】
また、別の発明は、上述した各発明の地上デジタル放送用フィールド測定装置に対して、入力された地上デジタル放送信号の電界強度を測定する電界強度測定部と、この電界強度測定部で測定された電界強度の経時変化を電界強度特性として表示器に、誤り率特性と共に、グラフィック表示する電界強度特性表示手段とを付加している。
【００２５】
このように構成された地上デジタル放送用フィールド測定装置においては、表示器に誤り率特性と共に電界強度特性が表示される。一般的に電波放出される信号の誤り率（ＢＥＲ）は電界強度に対応しているが、誤り率（ＢＥＲ）が変化したときの電界強度を検証することによって、誤り率（ＢＥＲ）の変化要因の究明が容易となる。
【発明の効果】
【００２６】
本発明においては、復調部の地上デジタル放送信号に対する復調動作に必要な４つの復調状況を検出し、この４つの復調状況から得られる有効範囲又は無効範囲を表示器にグラフィック表示している。
【００２７】
したがって、誤り率測定部で測定された地上デジタル放送信号の誤り率の経時変化を表示画面上で誤り率特性とし確認できるとともに、この表示された誤り率特性における誤り率の時間的な有効範囲又は無効範囲を一瞥して把握でき、より正確に地上デジタル放送信号の誤り率（ＢＥＲ）を測定できる。
【発明を実施するための最良の形態】
【００２８】
以下、本発明の一実施形態を図面を用いて説明する。
【００２９】
図１は本発明の一実施形態に係わる地上デジタル放送用フィールド測定装置の概略構成の一例を示すブロック図である。この地上デジタル放送用フィールド測定装置へ入力される地上デジタル放送信号ａは図３を用いて説明した周波数構成を有する。
【００３０】
図１において、地上デジタル放送信号ａは周波数変換部５へ入力される。周波数変換部５は、入力された地上デジタル放送信号ａの周波数を、測定制御部６から指定された１チャンネル分の信号を中間周波数に変換する。周波数変換された地上デジタル放送信号ａは、復調部７、電界強度測定部８、遅延プロファイル測定部９、変調誤差比（ＭＥＲ  Modulation Error Ratio）測定部１０へ送出される。
【００３１】
電界強度測定部８は入力された１チャネル分の地上デジタル放送信号ａの電界強度を測定して測定データ入力部１１へ送出する。
【００３２】
遅延プロファイル測定部９は地上デジタル放送信号の遅延プロファイルを測定して測定データ入力部１１へ送出する。ここで、遅延プロファイル１５を図９を用いて説明する。図９（ａ）に示すように、放送局のアンテナ１２から電波放出された地上デジタル放送信号ａは当該フィールド測定装置１３に直接入力される直接波（信号ａ）とビル等の反射物１４に反射された後に入力される複数の反射波（信号ａ1、信号ａ2）とがある。したがって、フィールド測定装置１３には、図９（ｂ）に示すように、各信号ａ、ａ1、ａ2が経路差に応じた時間差を有して入力されることになる。遅延プロファイル１５とは、図９（ｃ）に示すように、横軸に時間をとり、縦軸に反射波（信号ａ1、信号ａ2）のレベル（直接波（信号ａ）を０ｄＢとした相対値）をグラフ化したものである。
【００３３】
変調誤差比（ＭＥＲ）測定部１０は、入力された１チャネル分の地上デジタル放送信号ａの各階層２毎の変調誤差比（ＭＥＲ）を測定して測定データ入力部１１へ送出する。変調誤差比（ＭＥＲ）とは、図８に示すように、地上デジタル放送信号ａを各サブキャリア３のＩ（同相成分）信号、Ｑ（直交成分）信号に復調して、ＩＱ座標に測定点Ｐmとして表示した場合における、理想（正しい）点Ｐsの座標原点までの基準距離と、測定点Ｐmと理想（正しい）点Ｐsとの誤差距離との比の統計値（ｄＢ）である。したがって、変調誤差比（ＭＥＲ）が大きいと変調が正確に実施されていることを示す。
【００３４】
復調部７へ入力された１チャネル分の地上デジタル放送信号ａは、Ａ／Ｄ変換部６１でデジタル信号に変換され、直交復調部１６にて、Ｉ（同相成分）信号、Ｑ（直交成分）信号に直交復調され、ＯＦＤＭ復調部１７、周波数検出部１８及びシンボル検出部１９へ入力される。
【００３５】
周波数検出部１８は、Ｉ、Ｑ信号に直交復調された地上デジタル放送信号ａの周波数を検出して同期再生部２０へ送出する。シンボル検出部１９は、地上デジタル放送信号ａのシンボルタイミングを検出して同期再生部２０へ送出する。フレーム検出部２１は、ＯＦＤＭ復調部１７で復調された各サブキャリア３からフレームの開始タイミングを検出して、同期再生部２０へ送出するとともにＴＭＣＣ読取部２２へ送出する。
【００３６】
同期再生部２０は、周波数検出部１８で検出された地上デジタル放送信号ａの周波数がＯＦＤＭ復調部１７の復調に使用する周波数に一致するように、ＯＦＤＭ復調部１７に入力される地上デジタル放送信号ａの周波数を補正する。すなわち、周波数同期をとる。同期再生部２０は周波数同期が取れたか否かの情報（周波数同期）を周波数検出部１８を介して復調状況検出部２４へ送出する。
【００３７】
さらに、同期再生部２０は、ＯＦＤＭ復調部１７に入力される地上デジタル放送信号ａのシンボルタイミングを、シンボル検出部１９で検出されたシンボルタイミングに補正する。すなわち、シンボル同期をとる。同期再生部２０はシンボル同期が取れたか否かの情報（シンボル同期）をシンボル検出部１９を介して復調状況検出部２４へ送出する。
【００３８】
さらに、同期再生部２０は、ＯＦＤＭ復調部１７に入力される地上デジタル放送信号ａのフレームの開始タイミングを、フレーム検出部２０で検出されたフレームの開始タイミングに補正する。すなわち、フレーム同期をとる。同期再生部２０はフレーム同期が取れたか否かの情報（フレーム同期）をフレーム検出部２０を介して復調状況検出部２４へ送出する。
【００３９】
ＯＦＤＭ復調部１７は、同期再生部２０で同期が取れた状態で入力されたＩ、Ｑ信号からなる地上デジタル放送信号ａに対して高速フーリエ変換（ＦＦＴ）処理を実施することによって、１チャネル分の地上デジタル放送信号ａに含まれる各セグメント１の全てのサブキャリア３を抽出して、サブキャリア復調部２３、フレーム検出部２１及びＴＭＣＣ読取部２２へ送出する。
【００４０】
ＴＭＣＣ読取部２２は、フレーム検出部２１で検出された周波数領域内のフレームの開始点を用いて、入力されたサブキャリア３のなかからＴＭＣＣ（制御情報）４を抽出して、このＴＭＣＣ（制御情報）４をＢＰＳＫの復調方式で復調して、このＴＭＣＣ（制御情報）４で示される、該当チャネルの地上デジタル放送信号ａにおけるＡ階層、Ｂ階層、Ｃ階層の３個の階層２の各位置、各階層２のセグメント１数、各セグメント１に含まれる各サブキャリア３の変調方式を解読して、サブキャリア復調部２３へ送出する。
【００４１】
サブキャリア復調部２３は、入力された各サブキャリア３を、ＴＭＣＣ読取部２２から指定された該当サブキャリア３の変調方式に対応する復調方式で復調して、サブキャリア３毎のＴＳ（Transport Stream）としてのデータ信号を得て、次の誤り訂正部２５へ送出する。サブキャリア復調部２３は、各サブキャリア３を正しく復調できたか否かの情報（ＴＭＣＣ情報）をＴＭＣＣ読取部２２を介して復調状況検出部２４へ送出する。
【００４２】
誤り訂正部２５へ入力されたサブキャリア３毎の各データ信号は、ビタビ訂正部２６で内符号（畳み込み符号）を用いて１回目の誤り訂正が行われ、ＲＳ訂正部２７で外符号（Reed Solomon符号）を用いて２回目の誤り訂正が行われる。
【００４３】
復調ＢＥＲ測定部２９は、サブキャリア復調部２３から出力された各データ信号と、ビタビ訂正部２６で誤り訂正が行われて畳み込み部２８を経由した各データ信号とを比較して、サブキャリア復調部２３から出力された各データ信号のビットデータの誤り率（ＢＥＲ）を測定して、復調誤り率（ＢＥＲ）として、測定データ入力部１１へ送出する。
【００４４】
ビタビＢＥＲ測定部３０は、ビタビ訂正部２６から出力された各データ信号と、ＲＳ訂正部２７で２回目の誤り訂正が行われた各データ信号とを比較して、ビタビ訂正部２６から出力された各データ信号のビットデータの誤り率（ＢＥＲ）を測定して、誤り訂正後誤り率（ＢＥＲ）として、測定データ入力部１１へ送出する。
【００４５】
したがって、復調ＢＥＲ測定部２９及びビタビＢＥＲ測定部３０はＢＥＲ測定部３１を構成する。
【００４６】
測定制御部６は、必要に応じて、測定データ入力部１１へ入力された、復調誤り率（ＢＥＲ）、誤り訂正後誤り率（ＢＥＲ）、電界強度、遅延プロファイル、変調誤差比（ＭＥＲ）を表示器３４に表示する。さらに、測定制御部６は、電界強度測定部８、遅延プロファイル測定部９、変調誤差比（ＭＥＲ）測定部１０へ測定指示を出力するとともに、操作部３３からの指示に基づいて、周波数変換部５へ測定チャネルの指示を送出する。
【００４７】
測定データ入力部１１は、入力された上述した各測定データを入出力Ｉ／Ｆ３２を介して例えばパーソナルコンピュータ（ＰＣ）からなる外部データ処理制御装置３５へ送出する。
【００４８】
復調状況検出部２４は、入力された復調部７の復調動作に必要な周波数同期、シンボル同期、フレーム同期、及びＴＭＣＣ情報の４つの復調状況を入出力Ｉ／Ｆ３２を介して外部データ処理制御装置３５へ送出する。
【００４９】
図２は、例えばパーソナルコンピュータ（ＰＣ）からなる外部データ処理制御装置３５の概略構成を示すブロック図である。
【００５０】
復調状況入力部３７は、入出力Ｉ／Ｆ３６を介して入力された周波数同期、シンボル同期、フレーム同期、及びＴＭＣＣ情報の４つの復調状況３９の各正常／異常を、図５に示す表示器３８にそれぞれ個別に色分け表示する。例えば正常のとき緑色マークを表示し、異常のとき赤色マークを表示する。
【００５１】
また、測定データ有効無効判定部（有効無効範囲表示制御部）４５は、入出力Ｉ／Ｆ３６を介して入力された周波数同期、シンボル同期、フレーム同期、及びＴＭＣＣ情報の４つ全部の復調状況が正常の場合に、ＢＥＲ測定部３１で測定された復調誤り率（ＢＥＲ）、誤り訂正後誤り率（ＢＥＲ）は有効と判定し、４つの復調状況のうち１つ以上の復調状況が異常の場合に、ＢＥＲ測定部３１で測定された復調誤り率（ＢＥＲ）、誤り訂正後誤り率（ＢＥＲ）は無効と判定する。そして、無効と判定した時間範囲を図６に示す表示器３８に測定データ無効範囲４０としてグラフィック表示する。
【００５２】
なお、有効無効範囲表示制御部は、有効又は無効の経時変化を有効範囲又は無効範囲として、測定データ無効範囲４０をグラフィック表示したが、逆に有効範囲をグラフィック表示してもよい。また、有効範囲と無効範囲を色分け表示してもよい。さらに、有効範囲にある特性線と、無効範囲にある特性線とを識別可能なように、色分け、線種分けして表示してもよい。
【００５３】
ＧＵＩ操作部５５が図４に示す表示器３８に表示された測定項目５１に表示された各測定項目をキーボード５３又はマウス５４で選択すると、測定項目選択部５２が選択された測定項目に対する測定指示を、入出力Ｉ／Ｆ３６，３２を介して測定制御部６へ送出する。
【００５４】
さらに、ＧＵＩ操作部５５が図４に示す表示器３８に表示された測定項目５１に表示された各測定項目をキーボード５３又はマウス５４で選択すると、表示項目選択部５６が選択された測定項目に対する表示指示を測定データ編集部４２へ送出する。
【００５５】
測定データ編集部４２は、入出力Ｉ／Ｆ３６及び測定データ入力部４１を介して入力された選択済みの各測定データ（復調誤り率（ＢＥＲ）、誤り訂正後誤り率（ＢＥＲ）、電界強度、遅延プロファイル、変調誤差比（ＭＥＲ））を編集して表示器３８に表示するとともに、測定データメモリ４３に各測定データの経時変化を一時記憶する。
【００５６】
（基本となる実施例）
図５、図６は、表示器３８に表示された各測定データを示す図である。図５において、表示器３８に、前述した、４つの復調状況３９の各正常／異常の他に、電界強度４４、変調誤差比（ＭＥＲ）４６、Ａ〜Ｃ階層の階層２毎の誤り訂正後誤り率（ＢＥＲ）４７、復調誤り率（ＢＥＲ）４８、ＴＭＣＣ情報５７が表示される。
【００５７】
さらに、同一表示器３８に、図６に示すように、電界強度の経時変化を示す電界強度特性５０、復調誤り率（ＢＥＲ）の経時変化を示す復調誤り率（ＢＥＲ）特性４９ａ、誤り訂正後誤り率（ＢＥＲ）の経時変化を示す誤り訂正後誤り率（ＢＥＲ）特性４９ｂ、及び前述した測定データ無効範囲４０が表示される。
【００５８】
このように、表示器３８に復調誤り率（ＢＥＲ）特性４９ａ、誤り訂正後誤り率（ＢＥＲ）特性４９ｂと共に電界強度特性５０が同時に表示される。一般的に電波放出される信号の誤り率（ＢＥＲ）は電界強度に対応しているので、誤り率（ＢＥＲ）が大きく変化したときの電界強度を検証することによって、誤り率（ＢＥＲ）の変化要因の究明が容易となる。
【００５９】
さらに、表示器３８に復調誤り率（ＢＥＲ）特性４９ａ、誤り訂正後誤り率（ＢＥＲ）特性４９ｂと共に測定データ無効範囲４０が同時に表示される。したがって、同じ表示器３８にグラフィック表示された誤り率特性４９ａ、４９ｂにおける誤り率の時間的な無効範囲を一瞥して把握できる。よって、誤り率特性４９ａ、４９ｂにおける誤り率が大きく変化したときに、この変化が地上デジタル放送信号ａ自体に起因するのか、復調誤りに起因するのかを簡単に把握できる。
【００６０】
（第１の実施例）
さらに、同一表示器３８に、図４に示すように、前述した測定項目５１、測定時刻情報５８、測定チャネルが表示される。なお、測定項目５１で遅延プロファイルが選択されていた場合は、図９（ｃ）に示す遅延プロファイル１５が表示器３８に表示出力される。さらに、表示器３８に表示された電界強度特性５０、復調誤り率（ＢＥＲ）特性４９ａ、誤り訂正後誤り率（ＢＥＲ）特性４９ｂの時間範囲（測定時間）を測定データメモリ４３の記憶容量の範囲内において任意に設定可能である。なお、実際の測定は、図５に示す「測定開始」ボタンをマウス５４でクリックすることで開始される。
【００６１】
このような表示器３８に表示された電界強度特性５０、復調誤り率（ＢＥＲ）特性４９ａ、誤り訂正後誤り率（ＢＥＲ）特性４９ｂの時間軸の右端位置が現在時刻であり、図５に示した各値、各正常／異常は現在時刻における各値、各正常／異常である。
【００６２】
（第２の実施例）
しかし、表示器３８における図５に示すカーソル表示選択６０でカーソル表示を選択すると、図７に示すように、電界強度特性５０、復調誤り率（ＢＥＲ）特性４９ａ、誤り訂正後誤り率（ＢＥＲ）特性４９ｂの時間位置を示すカーソル５９が表示される。このカーソル５９の位置は、ＧＵＩ操作部５５にて測定者が任意に変更できる。そして、図５に示した周波数同期、シンボル同期、フレーム同期、及びＴＭＣＣ情報の４つ復調状況３９の各正常／異常、電界強度４４、変調誤差比（ＭＥＲ）４６、Ａ〜Ｃ階層の階層２毎の誤り訂正後誤り率（ＢＥＲ）４７、復調誤り率（ＢＥＲ）４８、ＴＭＣＣ情報５７は、カーソル５９が指定する時刻（時間）における各値に変更される。
【００６３】
さらに、図５に示す各Ａ〜Ｃ階層の階層２毎の誤り訂正後誤り率（ＢＥＲ）４７、復調誤り率（ＢＥＲ）４８を例えばマウス５４で指定することにより、指定した階層２の指定した誤り訂正後誤り率（ＢＥＲ）４７、復調誤り率（ＢＥＲ）４８の誤り訂正後誤り率特４９ａ、復調誤り率特性４９ｂをグラフィック表示させることが可能である。
【００６４】
したがって、この地上デジタル放送用フィールド測定装置の測定者にとって、より簡単な操作で、誤り率（ＢＥＲ）に関するより詳細な情報を得ることが可能である。
【００６５】
また、復調誤り率特性４９ａの他に誤り訂正後誤り率特４９ｂも測定して表示させている。したがって、復調されたデータ信号のうちビタビ訂正部２６で誤り訂正される前の復調誤り率特性４９ａと、復調されたデータ信号のうちビタビ訂正部２６で誤り訂正された後の誤り訂正後誤り率特性４９ｂとの２種類の誤り率特性が得られるので、地上デジタル放送信号の誤り率（ＢＥＲ）をより詳細に検証できる。
【図面の簡単な説明】
【００６６】
【図１】本発明の一実施形態に係わる地上デジタル放送用フィールド測定装置の概略構成を示すブロック図
【図２】同実施形態に係わる地上デジタル放送用フィールド測定装置に組み込まれた外部データ処理装置の概略構成を示すブロック図
【図３】地上デジタル放送信号の１チャネル分の周波数分布図
【図４】同実施形態の地上デジタル放送用フィールド測定装置における表示器の表示内容を示す図
【図５】同じく同実施形態の地上デジタル放送用フィールド測定装置における表示器の表示内容を示す図
【図６】同じく同実施形態の地上デジタル放送用フィールド測定装置における表示器の表示内容を示す図
【図７】同じく同実施形態の地上デジタル放送用フィールド測定装置における表示器の表示内容を示す図
【図８】変調誤差比（ＭＥＲ）の算出方法を示す図
【図９】遅延プロファイルの定義を示す図
【符号の説明】
【００６７】
１…セグメント、２…階層、３…サブキャリア、４…ＴＭＣＣ、５…周波数変換部、６…測定制御部、７…復調部、８…電界強度測定部、９…遅延プロファイル測定部、１０…変調誤差比（ＭＥＲ）測定部、１１…測定データ入力部、１５…遅延プロファイル、１６…直交復調部、１７…ＯＦＤＭ復調部、１８…周波数検出部、１９…びシンボル検出部、２０…同期再生部、２１…フレーム検出部、２２…ＴＭＣＣ読取部、２３…サブキャリア復調部、２４…復調状況検出部、２５…誤り訂正部、３１…ＢＥＲ測定部、３５…外部データ処理制御装置、３８…表示器、３９…復調状況、４０…測定データ無効範囲、４２…測定データ編集部、４４…電界強度、４５…測定データ有効無効判定部、４６…変調誤差比（ＭＥＲ）、４７…誤り訂正後誤り率（ＢＥＲ）、４８…復調誤り率（ＢＥＲ）、４９ａ…復調誤り率（ＢＥＲ）特性、４９ｂ…誤り訂正後誤り率（ＢＥＲ）特性、５０…電界強度特性、５９…カーソル
【図１】
2006165671.tif 000003
【図２】
2006165671.tif 000004
【図３】
2006165671.tif 000005
【図４】
2006165671.tif 000006
【図５】
2006165671.tif 000007
【図６】
2006165671.tif 000008
【図７】
2006165671.tif 000009
【図８】
2006165671.tif 000010
【図９】
2006165671.tif 000011